(57)【特許請求の範囲】
【請求項１】
線形折り装置において、
折丁の第１の部分を搬送するための第１の搬送装置が設けられており、該第１の搬送装置が、下部ベルトと上部ベルトとを含んでおり、前記折丁の第１の部分が第１の搬送装置の下部ベルトと上部ベルトとによって保持されるようになっており、
折丁の第２の部分を搬送するための、前記第１の搬送装置に隣接した第２の搬送装置が設けられており、該第２の搬送装置が、前記第１の搬送装置に向かって傾斜させられた下部ベルトと上部ベルトとを含んでおり、前記折丁の第２の部分が第２の搬送装置の下部ベルトと上部ベルトとによって保持されるようになっており、前記第２の搬送装置が、折丁の第２の部分を折丁の第１の部分に対して平行に搬送するための第１の区分と、該第１の区分の後に設けられた第２の区分とを有しており、該第２の区分が、折丁の第２の部分を折丁の第１の部分に向かって移動させるように、第１の搬送装置に対して傾斜させられていることを特徴とする、線形折り装置。
【請求項２】
前記第１及び第２の搬送装置の後にフォーマ区分が設けられている、請求項１記載の線形折り装置。
【請求項３】
前記フォーマ区分が、静的な折りガイドである、請求項２記載の線形折り装置。
【請求項４】
折丁に形成された折目を収容するための鉛直方向ニップベルトが設けられている、請求項１記載の線形折り装置。
【請求項５】
前記第２の搬送装置が、第１の搬送装置よりも高速で走行する区分を有している、請求項１記載の線形折り装置。
【請求項６】
折丁を折るための方法において、
第１の搬送装置の下部ベルトと上部ベルトとによって折丁の第１の部分を保持することにより前記折丁の第１の部分を第１の方向に搬送し、
第２の搬送装置の下部ベルトと上部ベルトとによって折丁の第２の部分を保持することにより前記折丁の第２の部分を第２の方向に搬送し、該第２の方向が、折目が折丁に形成し始めるように第１の方向に向かって傾斜させられていることを特徴とする、折丁を折るための方法。
【請求項７】
１対の鉛直方向ニップベルトにおいて折目を確定する、請求項６記載の方法。
【請求項８】
折丁を、搬送ステップの後にフォーマ区分に通過させる、請求項６記載の方法。
【請求項９】
前記第２の部分の搬送が、第１の部分の搬送よりも僅かに速い速度で行われる、請求項６記載の方法。
【請求項１０】
前記搬送するステップがベルトを使用して行われる、請求項６記載の方法。
【請求項１１】
折丁の第２の部分を、折丁の第２の部分を第２の方向に搬送するステップの前に、第１の方向に対して平行な方向に搬送する、請求項６記載の方法。
【発明の詳細な説明】
【０００１】
【発明の属する技術分野】
本発明は、概して印刷機の折り機、特に印刷された材料の折丁を折るための装置及び方法に関する。
【０００２】
【従来の技術】
ウェブ印刷機は、紙等の材料の連続的なウェブを印刷する。次いで、連続的なウェブは印刷機の折り機において処理される。折り機は、完成した被印刷製品に特定の所望の折目を提供することができる。裁断ユニットは、通常、ウェブを個々の折丁の裁断するように設けられている。折りは、しばしば、ウェブと、ウェブから裁断される折丁との両方に対して提供される必要がある。
【０００３】
米国特許第５０３０１９３号明細書は、シート材料の移動経路に沿ってシート材料のウェブに第１の折りを形成する第１の折り機アセンブリを含む折り装置を開示している。この第１の折りは、定置の三角板上にウェブを引き通し、折目を確定するようにウェブを１対のニップローラの間を通過させることによって行われる。次いで、ウェブは折丁を形成するように裁断胴によって裁断され、次いで折丁は押込み胴によってジョー胴へ搬送される。押込み胴の押込みブレードは折丁を、ジョー胴のジョーのセット内へ押し込んで、第１の折りに対して横方向である第２の折りを形成する。次いで折丁は、複数のテープの列を有する第３の折り機アセンブリへ搬送され、前記複数のテープの列は、折丁を掴み、これらの折丁を第３の折り機アセンブリ内で移動させる。テープの列は、第３の折り機アセンブリにおいて直線的な方向を維持する。しかしながら、テープの側方に設けられた２つの定置のフォーマは、折丁が第３の折り機アセンブリに進入するときに、折丁の側部を収容する。次いで、これらのフォーマは、テープに対して所定の角度で次第に近づき、折丁の外縁部を上方へ押し上げ、これにより第３の折り機アセンブリの折りを形成する。
【０００４】
前記特許の第１の折り機アセンブリは、折丁を折るために使用することが困難又は不可能であり、ウェブが三角板上を引っ張られなければならないという欠点を有する。第２の折り機アセンブリは、多くの可動部材が必要であるという欠点を有する。第３の折り機アセンブリは、設計が複雑であり、種々異なる長さの多数のベルトを必要とするという欠点を有する。
【０００５】
さらに、公知のチョッパ折り機構は、しばしば、全速力で運転する１つの印刷機を支持するために、２つ以上のチョッパフォルダ機構を必要とする。したがって、折丁流はしばしば分流及び減速されなければならず、このことは、分流装置、減速区分及び積分器等の補助的な装置を必要とする。これらの補助的な装置は、折丁がそれぞれの装置と相互作用しなければならず、しかも適切な位置を維持しなければならないため、不正確な折りの危険性を増大させる。
【０００６】
【発明が解決しようとする課題】
本発明の課題は、折丁を折るための装置及び方法を提供することであり、これにより被印刷製品への損傷が低減される。本発明の付加的又は択一的な課題は、折丁を折るための単純化された装置を提供することである。
【０００７】
【課題を解決するための手段】
本発明は、折丁の第１の部分を搬送するための第１の搬送装置と、折丁の第２の部分を搬送するための、第１の搬送装置に隣接した第２の搬送装置とが設けられており、第２の搬送装置が、第１の搬送装置に対して傾斜しており、これにより折丁の第２の部分を折丁の第１の部分に向かって移動させるようになっている折丁折り装置を提供することである。
【０００８】
【発明の効果】
有利には、第１及び第２の搬送装置は、ベルトを有しており、これらのベルトは、上方及び下方から折丁のそれぞれの部分を掴む。
【０００９】
第２の搬送装置が第１の搬送装置に対して傾斜しているので、第１の部分と第２の部分との間の折丁は、折目を形成し始めるように持ち上がる。
【００１０】
さらに折り装置は、折りガイドを有していてよく、この折りガイドに折丁が、第１及び第２の搬送装置を通過した後に進入してよい。折りガイドを通過した後、折られた折丁は複数の鉛直方向の搬送ベルトによって搬送されてよい。
【００１１】
折り装置は鉛直方向のニップベルトをも有していると有利であり、これにより折目を受取りかつ折目を確定することを助成する。第２の搬送装置は、傾斜したベルト区分を有していてよく、この傾斜したベルト区分の後に直線的なベルト区分が設けられており、この直線的なベルト区分は折りガイドの前に配置されていると有利である。
【００１２】
傾斜したベルト区分は、第１の搬送装置よりも僅かに高速で走行すると有利である。したがって、折丁の第１の部分と第２の部分とは、折目が形成される間でさえも、同じ方向に同じ速度で走行することができる。
【００１３】
本発明は、折丁の第１の部分を第１の方向に搬送し、折丁の第２の部分を第２の方向に搬送する方法をも提供し、この場合、第２の方向は、折りが折丁に形成し始めるように第１の方向に向かって傾斜している。
【００１４】
さらに前記方法は、１対の鉛直方向ニップベルト内へ折目を移動させることを提供する。前記方法は、搬送ステップの後に折丁を折りガイド内へ移動させることを提供してもよい。
【００１５】
有利には、第２の部分の搬送は、第１の部分の搬送よりも僅かに高速で行われる。
【００１６】
搬送ステップは、有利には、上方及び下方から折丁の個々の部分を掴むベルトを有することによって実施される。
【００１７】
本発明は、折丁を折るための単純化された装置及び方法を提供する。装置の可動部分は、単純なベルト駆動装置であってよい。複雑な機構は必要ない。
【００１８】
折丁の半部が第１及び第２の搬送装置によってしっかりと保持されながら折りが行われるので、正確で高速の折りを行うことができ、またチョッパ機構を不要とすることができる。
【００１９】
【発明の実施の形態】
本発明の実施例が図面を参照に以下に説明される。
【００２０】
図１は、折丁２を折るための折り装置１の上部斜視図を示している。折丁２は第１のベルト駆動装置３によって折り装置１へ搬送される。折丁２は、第１の搬送装置１５と第２の搬送装置１６とによって折り装置１に収容され、この場合、折丁の半分Ａが第２の搬送装置１６によって収容され、折丁の半分Ｂが第１の搬送装置１６によって収容される。第１の搬送装置１５は矢印１８の方向に循環する。
【００２１】
折り装置１の下半分を描いた図２に示したように、第２の搬送装置１６は、第１の直線的なベルト区分２０と、矢印２２の方向に循環する下部の傾斜したベルト区分２１と、矢印２４の方向に循環する第２の直線的なベルト区分２３とを有している。矢印１８，２４及び２６並びにベルト２０の方向は全て互いに平行である。
【００２２】
第１の搬送装置１５は、矢印１８の方向と同じである矢印２６の方向に移動するベルト２５を有している。第１の搬送装置１５も、分かり易くするために示されていない上部ベルトを有している。この上部ベルトは、折丁２が第１の搬送装置１５を通過しているときに、折丁部分Ｂの上面を掴む。したがって、折丁部分Ｂは方向２６に走行するためにしっかりと保持される。
【００２３】
第２の搬送装置１６は、図１に示したように、上部の傾斜したベルト区分３０を有しており、このベルト区分３０は、第１のローラ３１と、第２のローラ３２と、第３のローラ３３と、第４のローラ３４とを有している。第１のローラ３１と第２ローラ３２との間には引込ベルト３５が、第２のローラと第３のローラ３３との間には中間の非引込ベルト３６が、ローラ３３と３４との間には別の引込ベルト３７が設けられている。これらのベルト３５，３６及び３７は全て、第１の搬送装置１５に向かって傾斜させられており、この場合、ベルトは下部ベルト区分２１と同じ方向、すなわち方向２２に走行する。
【００２４】
上部ベルト区分３０は通常下部ベルト区分２１の直ぐ上方に配置されている。
【００２５】
したがって、第１の下部の直線的なベルト区分２０は、ベルト２５から距離４０だけ間隔を置いて配置されている。折丁がベルト区分２１及び第１の搬送装置１５上で前進しているときに、折丁部分Ａは直ぐに、引っ込むベルト３５を介して、傾斜したベルト区分２１へ引き渡される。
【００２６】
次いで、傾斜したベルト区分２１及び３０は、折丁の半分Ａを折丁の半分Ｂに向かって移動させる。なぜならば、傾斜したベルト区分２１が位置４３においてベルト２５に近付くからである。位置４３におけるベルト２１と２５との間隔は距離４０よりも小さい。第２の直線的なベルト区分２３もベルト２５から距離４１だけ間隔を置いて配置されており、この距離４１は距離４０よりも小さいと有利である。
【００２７】
図３は、搬送装置１５及び１６の接近による折丁２への影響を示している。折丁の半分Ｂの部分は、第１の搬送装置１５内で方向２６へ走行する。しかしながら、折丁の半分Ａの部分は、傾斜したベルト区分２１と３０との間を方向２２に通過し、この方向２２は、方向２６及び１８（これらは平行）に対して傾斜させられている。したがって、２つの保持された部分の間に折目５０が生じる。
【００２８】
全てのベルトは、モータによって駆動されるローラ上を走行する。しかしながら、ベルト区分２１及び３０はベルト２５よりも僅かに速く走行するので、折丁の半分Ａは、折丁の半分Ｂが方向２６に搬送されるのと同じ速度で方向１８に搬送される。ｘが方向２２と方向２６との間の角度を規定し、ｖがベルト２５の速度であるとすると、ベルト２２及び３０はほぼＶ／ｃｏｓ  ｘの速度で走行する。
【００２９】
折目５０が形成されると、折目は、折目確定装置６０によって確定されてよく、折目確定装置６０は、ベルト６１とベルト６２とを有している。折目５０が、ベルト２５と同じ速度で走行するベルト６１に突き当てられることができ、ベルト６１とベルト６２との間のニップ６３内へ搬送されることができる。このニップ６３は折目５０を確定することを助成する。次いで、折丁２が第１の搬送装置１４と第２の搬送装置１６とを通過してフォーマ区分７０へ進入するときに、ベルト６１及び６２が折丁２を搬送する。前記フォーマ区分７０はここでは静的な折りガイドとして示されている。この静的な折りガイドは折目を完成させるように成形されているので、折丁２が折りガイドを通過するときに、折りガイドの形状が、折丁の半分ＡとＢとを押し付ける。しかしながら、静的な折りガイドの代わりに、折りを完成させるために動的な折りローラ又は折りベルトを使用することもできる。
【００３０】
フォーマ区分７０を通過した後、折られた折丁は別の搬送ベルト８０によって搬送されてよい。
【００３１】
第１及び第２の搬送装置は図示したようにベルトを使用しているが、しっかりと折丁を掴む別のタイプの搬送装置、例えば、僅かな間隔を置いて配置された一連のローラ、を使用することができる。さらに、本願に規定された第１の搬送装置は、直線的又は単一の装置である必要はなく、種々異なる角度を形成した第１の区分と第２の区分とから成っていることができる。例えば、両搬送装置は、第２の区分において中央軸線に向かって傾斜していることができる。したがって、“傾斜した”という用語は、搬送装置の一方が他方の搬送装置に対して傾斜していることを意味するだけである。
【図面の簡単な説明】
【図１】本発明による装置を示す斜視図であり、第１の搬送区分のベルトは、分かり易くするために示されていない。
【図２】本発明による装置の底部を示す斜視図である。
【図３】本発明による装置の使用により形成することができる、折丁における折目の形成を概略的に示す図である。
【符号の説明】
１  折り装置、  ２  折丁、  １５  第１の搬送装置、  １６  第２の搬送装置、  １８  矢印、  ２０  第１の直線的なベルト区分、  ２１  下部の傾斜したベルト区分、  ２３  第２の直線的なベルト区分、  ２４，２６  矢印、  ３０  ベルト区分、  ３１  第１のローラ、  ３２  第２のローラ、  ３３  第３のローラ、  ３４  第４のローラ、  ３５  引込ベルト、  ３６  非引込ベルト、  ４０，４１  距離、  ４３  位置、  ５０  折目、  ６０  折目確定装置、６１，６２  ベルト、  ６３  ニップ、  ７０  フォーマ区分、  ８０  搬送ベルト
【図１】
0004805449.tif 000002
【図２】
0004805449.tif 000003
【図３】
0004805449.tif 000004